(57)【要約】  MeNBとHeNBとの間で情報のやり取りを行うことなく、HeNBとMeNBとの間の干渉を抑えることができる小型基地局装置（HeNB）。MeNBが形成するセルよりも小さいセルを形成するHeNB（１００）であって、パターン生成部（１０１）は、HeNB（１００）が使用可能な複数のサブバンドのうち、HeNB（１００）に割り当てられるサブバンドの割当パターンであって、サブバンドの組み合わせがフレーム毎に異なる割当パターンを生成し、割当部（１０２）は、割当パターンに基づいて、HeNB（１００）に接続している通信端末装置に対してサブバンドを割り当てる。
2011108197.tif 000002
【特許請求の範囲】
【請求項１】
マクロ基地局装置が形成するセルよりも小さいセルを形成する小型基地局装置であって、
前記小型基地局装置が使用可能な複数のサブバンドのうち、前記小型基地局装置に割り当てられるサブバンドの割当パターンであって、サブバンドの組み合わせが所定時間間隔毎に異なる前記割当パターンを生成する生成手段と、
前記割当パターンに基づいて、前記小型基地局装置に接続している通信端末装置に対してサブバンドを割り当てる割当手段と、
を具備する小型基地局装置。
【請求項２】
受信信号から、前記マクロ基地局装置に接続している通信端末装置からの信号を検出する検出手段と、
前記複数のサブバンドのうち、前記信号が割り当てられているサブバンドを特定する特定手段と、を更に具備し、
前記生成手段は、前記複数のサブバンドのうち、前記信号が割り当てられているサブバンド以外のサブバンドにおいて、前記割当パターンを生成する、
請求項１記載の小型基地局装置。
【請求項３】
受信信号から、前記マクロ基地局装置に接続している通信端末装置からの信号を検出する検出手段と、
前記複数のサブバンドのうち、前記信号が割り当てられているサブバンド、及び、前記信号が割り当てられているサブバンドにおける受信信号電力を特定する特定手段と、を更に具備し、
前記生成手段は、前記複数のサブバンドが前記受信信号電力の大きさに応じて分けられた複数のサブバンド群のうち、前記受信信号電力がより小さいサブバンド群を構成するサブバンドほど前記小型基地局装置により多く割り当てられるように、前記割当パターンを生成する、
請求項１記載の小型基地局装置。
【請求項４】
受信信号から、前記マクロ基地局装置に接続している通信端末装置からの信号を検出する検出手段と、
前記複数のサブバンドのうち、前記信号が割り当てられているサブバンド、及び、前記信号が割り当てられているサブバンドにおける受信信号電力を特定する特定手段と、を更に具備し、
前記生成手段は、前記複数のサブバンドが前記受信信号電力の大きさに応じて分けられた複数のサブバンド群のうち、前記受信信号電力がより小さいサブバンド群を構成するサブバンドから順に前記小型基地局装置に割り当てられるように、前記割当パターンを生成する、
請求項１記載の小型基地局装置。
【請求項５】
マクロ基地局装置が形成するセルよりも小さいセルを形成する小型基地局装置において、
前記小型基地局装置が使用可能な複数のサブバンドのうち、前記小型基地局装置に割り当てられるサブバンドの割当パターンであって、サブバンドの組み合わせが所定時間間隔毎に異なる前記割当パターンを生成する生成ステップと、
前記割当パターンに基づいて、前記小型基地局装置に接続している通信端末装置に対してサブバンドを割り当てる割当ステップと、
を具備するサブバンド割当方法。
【発明の詳細な説明】
【技術分野】
【０００１】
本発明は、小型基地局装置及びサブバンド割当方法に関する。
【背景技術】
【０００２】
近年、携帯電話の不感地帯を補完するため、フェムトセル（femto cell）と呼ばれる、従来のセルよりも通信エリアが小さいセルを形成するための小型基地局装置（ホーム基地局（Home eNB）。以下、HeNBと称する。）の開発が行われている。従来の通信エリアが大きいセルを形成するための大型基地局装置（マクロ基地局（Macro eNB）。以下、MeNBと称する。）は事前にオペレータが適切な置局設計を行って設置されるため、MeNB間のICIC（Inter Cell Interference Coordination）干渉制御機能により、セル間干渉はさほど問題にならない。これに対し、HeNBはエンドユーザが任意の場所に設置可能に加え、HeNBとMeNBのICIC干渉制御機能がないため、HeNBとMeNBとの間の干渉が大きな問題となる。特に、HeNBの設置が、既存のMeNBの通信に支障を与えることはあってはならない。これは、MeNBは携帯電話等の既存の通信エリアの形成に用いられているものであるため、HeNBが後から設置されたことによって、突然携帯電話が繋がらなくなってしまうなどの不都合を避けるためである。【０００３】
また、標準化団体3GPP（3rd Generation Partnership Project）にて標準化が進められているLTE（Long Term Evolution）では、HeNBが使用可能な周波数帯域（複数のサブバンド）において、HeNBに割り当てられるサブバンドがスケジューリングされる（例えば、非特許文献１参照）。HeNBは、スケジューリング結果に基づいてサブバンドの割当を行い、HeNBに接続している通信端末装置（以下、HUE：Home UEと称する。）との間の通信を行う。【０００４】
また、LTEでは、MeNB（周辺MeNB）同士はX2インタフェースにより接続される。また、各eNB（MeNB及びHeMB）と、MME（Mobility Management Entity）/S-GW（Serving Gateway）又はHeNB GWとの間は、S1インタフェースにより接続される（例えば、非特許文献２参照）。これに対し、LTEでは、MeNBとHeNBとの間を直接接続するインタフェースが存在しない。
【先行技術文献】
【非特許文献】
【０００５】
【非特許文献１】R4-093651 "Intercell interference management for HeNBs"(ETRI)
【非特許文献２】3GPP TS 36.300 v9.2.0, "Evolved Universal Terrestrial Radio Access (E-UTRA) and Evolved Universal Terrestrial Radio Access Network (E-UTRAN); Overall description; Stage 2"
【発明の概要】
【発明が解決しようとする課題】
【０００６】
上記従来技術では、スケジューリングによりHeNBに割り当てられたサブバンドは、複数のフレームに渡って固定（同一サブバンド）となる。このとき、MeNBとHeNBとの間で制御情報等のやり取りが無い場合、MeNBは、MeNBに接続している通信端末装置（以下、MUE：Macro UEという）に対して、HeNBに割り当てられたサブバンドと同一サブバンドを割り当ててしまう可能性がある。つまり、MeNBとHeNBとの間で使用するサブバンドが重複する場合がある。【０００７】
この場合、MUEでは、MeNBからの下り回線信号（所望信号）の受信時に、HeNBが下り回線でHUEに送信した信号が干渉となる可能性がある。また、MeNBでは、MUEからの上り回線信号（所望信号）の受信時に、MeNBの近傍に位置するHUEが上り回線でHeNBに送信した信号が干渉となる可能性がある。このように、HeNBの通信が、既存のMeNBの通信に支障を与えてしまう可能性がある。【０００８】
又は、HeNBでは、HUEからの上り回線信号（所望信号）の受信時に、HeNBの近傍に位置するMUEが上り回線でMeNBに送信した信号が干渉となる可能性がある。また、HUEでは、HeNBからの下り回線信号（所望信号）の受信時に、MeNBが下り回線でMUEに送信した信号が干渉となる可能性がある。すなわち、MeNBの通信が、HeNBの通信に支障を与えてしまう可能性もある。【０００９】
ここで、MeNBとHeNBとの間で制御情報（例えば、MeNBのサブバンド使用状況を示す情報）をやり取りすることで、MeNBとHeNBとの間で使用するサブバンドの重複を防ぐことが考えられる。しかし、上述したように、MeNBとHeNBとの間を直接接続するインタフェースは存在しない。さらに、S1インタフェースを用いてMeNBとHeNBとの間で情報のやり取りを行う場合には、他の機器（MME/S-GW等）を経由する必要があるため処理遅延が問題となる。【００１０】
本発明の目的は、MeNBとHeNBとの間で情報のやり取りを行うことなく、HeNBとMeNBとの間の干渉を抑えることができる小型基地局装置及びサブバンド割当方法を提供することである。
【課題を解決するための手段】
【００１１】
本発明の第１の態様に係る小型基地局装置は、マクロ基地局装置が形成するセルよりも小さいセルを形成する小型基地局装置であって、前記小型基地局装置が使用可能な複数のサブバンドのうち、前記小型基地局装置に割り当てられるサブバンドの割当パターンであって、サブバンドの組み合わせが所定時間間隔毎に異なる前記割当パターンを生成する生成手段と、前記割当パターンに基づいて、前記小型基地局装置に接続している通信端末装置に対してサブバンドを割り当てる割当手段と、を具備する構成を採る。【００１２】
本発明の第２の態様に係るサブバンド割当方法は、マクロ基地局装置が形成するセルよりも小さいセルを形成する小型基地局装置であって、前記小型基地局装置が使用可能な複数のサブバンドのうち、前記小型基地局装置に割り当てられるサブバンドの割当パターンであって、サブバンドの組み合わせが所定時間間隔毎に異なる前記割当パターンを生成する生成ステップと、前記割当パターンに基づいて、前記小型基地局装置に接続している通信端末装置に対してサブバンドを割り当てる割当ステップと、を具備する構成を採る。
【発明の効果】
【００１３】
本発明によれば、MeNBとHeNBとの間で情報のやり取りを行うことなく、HeNBとMeNBとの間の干渉を抑えることができる。
【図面の簡単な説明】
【００１４】
【図１】本発明の実施の形態１に係るHeNBの構成を示すブロック図
【図２】本発明の実施の形態１に係る割当パターンを示す図
【図３】本発明の実施の形態１に係る割当パターンを示す図
【図４】本発明の実施の形態１に係る割当パターンを示す図
【図５】本発明の実施の形態２に係るHeNBの構成を示すブロック図
【図６】本発明の実施の形態２に係る割当パターンを示す図
【図７】本発明の実施の形態２に係る割当パターンを示す図
【図８】本発明の実施の形態３に係るHeNBの構成を示すブロック図
【図９】本発明の実施の形態３に係る割当パターンを示す図
【図１０】本発明の実施の形態３に係る割当パターンを示す図
【図１１】本発明の実施の形態４に係る割当パターンを示す図
【図１２】本発明の実施の形態４に係る割当パターンを示す図
【図１３】本発明の実施の形態５に係る複数のHeNBを示す図
【図１４】不連続なサブバンドにおける割当パターンを示す図
【図１５】不連続なサブバンドにおける割当パターンを示す図
【発明を実施するための形態】
【００１５】
以下、本発明の各実施の形態について図面を参照して詳細に説明する。以下、LTEを例に本発明の各実施の形態について説明する。
【００１６】
（実施の形態１）
図１に、MeNBが形成するセルよりも小さいセルを形成するHeNBの構成を示すブロック図を示す。図１に示すHeNB１００において、パターン生成部１０１には、HeNB１００が使用するサブバンドの数（使用サブバンド数）を示す情報、及び、HeNB１００が使用可能なサブバンドの総数（サブバンド総数）を示す情報が入力される。そして、パターン生成部１０１は、使用サブバンド数及びサブバンド総数に基づいて、HeNB１００（及びHUE）に割り当てられるサブバンドの割当パターンを生成する。具体的には、パターン生成部１０１は、HeNB１００が使用可能な複数のサブバンド（サブバンド総数分）のうち、HeNB１００（HUE）に割り当てるサブバンド（使用サブバンド数分）を選択し、選択したサブバンドを含む割当パターンを生成する。このとき、パターン生成部１０１は、サブバンドの組み合わせが所定時間間隔（本実施の形態では、１フレーム）毎に異なる割当パターンを生成する。なお、所定時間間隔は１フレームに限らず複数フレームでも良い（以下の実施の形態でも同様である。）。
【００１７】
割当部１０２は、パターン生成部１０１から入力される割当パターンに基づいて、HUEに対してサブバンドを割り当てる。
【００１８】
通知部１０３は、割当部１０２におけるサブバンド割当結果を示す通知情報を、HeNB１００に接続しているHUEに通知する。
【００１９】
次に、HeNB１００における処理について詳細に説明する。
【００２０】
以下の説明では、図２に示すように、HeNB１００が使用可能なサブバンドをサブバンド１〜１２（サブバンド総数：１２個）とする。また、HeNB１００が各フレームで使用するサブバンドを４個（使用サブバンド数：４個）とする。また、図２に示すように、サブバンド６〜８の３個のサブバンドには、複数のフレームに渡ってMUEが割り当てられている。
【００２１】
パターン生成部１０１は、図２に示す１２個のサブバンド１〜１２のうちHeNB１００に割り当てられるサブバンド（ここでは４個のサブバンド）の割当パターンをフレーム毎に生成する。このとき、パターン生成部１０１は、サブバンドの組み合わせがフレーム毎に異なる割当パターンを生成する。例えば、パターン生成部１０１は、図２に示すサブバンド１〜１２において、フレーム毎にランダムに４個のサブバンドを選択することにより、サブバンドの組み合わせがフレーム毎に異なる割当パターンを生成する。
【００２２】
例えば、パターン生成部１０１は、図２に示すフレーム１では、サブバンド２，６，７，１１の組み合わせから成る割当パターンを生成する。また、パターン生成部１０１は、図２に示すフレーム２では、サブバンド２，４，１０，１２の組み合わせから成る割当パターンを生成し、フレーム３では、サブバンド１，３，５，９の組み合わせから成る割当パターンを生成し、フレーム４では、サブバンド２，３，８，１１の組み合わせから成る割当パターンを生成する。
【００２３】
ここで、HeNB１００にHUE１及びHUE２が接続されているとする。そこで、割当部１０２は、図３に示すように、図２に示す割当パターンに基づいて、HUE１及びHUE２に対してサブバンドをそれぞれ割り当てる。例えば、割当部１０２は、図３に示すフレーム１では、割当パターンに示されるサブバンド２，６，７，１１のうち、サブバンド６，１１をHUE１に割り当て、サブバンド２，７をHUE２に割り当てる。同様に、割当部１０２は、図３に示すフレーム２では、割当パターンに示されるサブバンド２，４，１０，１２のうち、サブバンド４，１２をHUE１に割り当て、サブバンド２，１０をHUE２に割り当てる。図３に示すフレーム３及びフレーム４についても同様である。
【００２４】
また、パターン生成部１０１及び割当部１０２は、フレーム１〜４以外のフレーム（図示しないフレーム５以降のフレーム）についても上記と同様の処理を行う。
【００２５】
そして、通知部１０３は、図３に示す、HUE１及びHUE２に対するサブバンド割当結果を示す通知情報を、HUE１及びHUE２に通知する。
【００２６】
このように、サブバンドの割当パターンに含まれるサブバンドの組み合わせをフレーム毎に異ならせることで、或るフレーム（例えば、図３に示すフレーム１）においてHUEとMUEとに同一のサブバンドが割り当てられても、次のフレーム（例えば、図３に示すフレーム２）では、HUEとMUEとに同一のサブバンドが割り当てられる確率は低くなる。すなわち、各サブバンド（図３に示すサブバンド１〜１２）間で、HeNB１００に割り当てられる頻度が平均化されるため、複数のフレームに渡ってHeNB１００とMeNBとの間で使用するサブバンドが重複する確率が低くなる。
【００２７】
よって、例えば、MUEでは、MeNBからの下り回線信号（所望信号）の受信時に、HeNBが下り回線でHUEに送信した信号が複数のフレームに渡って干渉となる確率は低くなる。また、HUEでは、HeNBからの下り回線信号（所望信号）の受信時に、MeNBが下り回線でMUEに送信した信号が複数のフレームに渡って干渉となる確率は低くなる。
【００２８】
次いで、図４に示すように、図３と同様にして、サブバンド６〜８の３個のサブバンドに複数のフレームに渡ってMeNBが割り当てられている場合について説明する。なお、図４では、HeNB１００のパターン生成部１０１は、図２に示す割当パターンを生成し、割当部１０２は、図２に示す割当パターンに基づいて、UEに対してサブバンドを割り当てる。
【００２９】
図４でも、例えば、MeNBでは、MUEからの上り回線信号（所望信号）の受信時に、MeNBの近傍に位置するHUEが上り回線でHeNBに送信した信号が複数のフレームに渡って干渉となる確率は低くなる。また、HeNBでは、HUEからの上り回線信号（所望信号）の受信時に、HeNBの近傍に位置するMUEが上り回線でMeNBに送信した信号が複数のフレームに渡って干渉となる確率も低くなる。
【００３０】
すなわち、図３及び図４に示すように、サブバンドの割当パターンに含まれるサブバンドの組み合わせをフレーム毎に異ならせることで、MeNB（MUE）とHeNB（HUE）との間の干渉をランダマイズ化（平均化）できる。これにより、HeNB１００の通信が既存のMeNBの通信に支障を与えてしまう確率を低く抑えることができ、かつ、MeNBの通信がHeNB１００の通信に支障を与えてしまう確率を低く抑えることができる。
【００３１】
また、HeNB１００では、HeNB１００が使用可能なサブバンド総数、及び、HeNB１００の使用サブバンド数のみに基づいてサブバンドの割当パターンを生成する。つまり、HeNB１００は、MeNBとHeNB１００との間で情報（例えば、MeNBのサブバンド使用状況を示す情報）をやり取りすることなく、サブバンドの割当パターンを生成することができる。
【００３２】
よって、本実施の形態によれば、MeNBとHeNBとの間で情報のやり取りを行うことなく、HeNBとMeNBとの間の干渉を抑えることができる。
【００３３】
（実施の形態２）
本実施の形態に係るHeNBの構成を示すブロック図を図５に示す。なお、図５において、図１に示した構成部と同一の構成部については同一符号を付し説明を省略する。
【００３４】
図５に示す本実施の形態に係るHeNB２００において、検出部２０１は、HeNB２００の受信部（図示せず）にて受信した受信信号から、MUEからの信号（MUEからMeNBへ送信される上り回線信号）を検出する。
【００３５】
特定部２０２は、検出部２０１で検出された信号を用いて、複数のサブバンドのうちMUEからの信号が割り当てられているサブバンド（サブバンドの位置及び数）を特定する。例えば、特定部２０２は、検出部２０１で検出された信号のうち、予め設定された閾値よりも電力が大きい信号が割り当てられているサブバンドを特定する。換言すると、特定部２０２は、HeNB２００（又はHUE）に対して干渉を与え得るサブバンド（干渉帯域）を特定する。そして、特定部２０２は、特定したサブバンドを示すサブバンド情報をパターン生成部２０３に出力する。
【００３６】
パターン生成部２０３は、HeNB２００の使用サブバンド数、及び、特定部２０２から入力されるサブバンド情報に基づいて、HeNB２００（及びHUE）に割り当てられるサブバンドの割当パターンを生成する。具体的には、パターン生成部２０３は、HeNB２００が使用可能な複数のサブバンドのうち、MUEからの信号が割り当てられているサブバンド（干渉帯域）以外のサブバンドにおいて、HeNB２００がHUEに割り当てるサブバンドを選択し、選択したサブバンド（HUEに割り当てるサブバンド）を含む割当パターンを生成する。
【００３７】
次に、本実施の形態に係るHeNB２００における処理について詳細に説明する。
【００３８】
以下の説明では、図６に示すように、実施の形態１と同様、HeNB２００が使用可能なサブバンドをサブバンド１〜１２（サブバンド総数：１２個）とする。また、実施の形態１と同様、HeNB２００が各フレームで使用するサブバンドを４個（使用サブバンド数：４個）とする。
【００３９】
図６では、特定部２０２は、検出部２０１で検出されたMUEからの信号のうち、予め設定された閾値よりも電力が大きい信号が割り当てられているサブバンド（干渉帯域）として、サブバンド６〜８の３個のサブバンドを特定する。
【００４０】
よって、パターン生成部２０３は、図６に示す１２個のサブバンド１〜１２のうち、特定部２０２で特定されたサブバンド６〜８（干渉帯域）以外のサブバンド（サブバンド１〜５及びサブバンド９〜１２）において、HeNB１００に割り当てられるサブバンド（４個のサブバンド）の割当パターンを生成する。
【００４１】
例えば、パターン生成部２０３は、図６に示すように、サブバンド１〜５及びサブバンド９〜１２（サブバンド６〜８以外のサブバンド）のうち、サブバンド２，４，９，１１の組み合わせから成る割当パターンを生成する。
【００４２】
ここで、実施の形態１（図３）と同様、HeNB２００にHUE１及びHUE２が接続されているとする。そこで、割当部１０２は、図６に示すように、割当パターンに示されるサブバンド２，４，９，１１のうち、サブバンド４，１１をHUE１に割り当て、サブバンド２，９をHUE２に割り当てる。
【００４３】
このように、HeNB２００は、HeNB２００（HUE）に対して干渉を与え得る信号（MUEからの信号）が割り当てられているサブバンド以外のサブバンドにおいて、HUEに対するサブバンドの割当パターンを生成する。すなわち、HeNB２００は、HeNB２００（HUE）に対して干渉を与え得る信号が割り当てられているサブバンドを、HUEに対するサブバンドの割当対象外とする。
【００４４】
これにより、全てのフレームにおいて、HeNB２００（HUE）と、HeNB２００に対して干渉を与え得るMUEとが同一のサブバンドに割り当てられることが無くなる。よって、図６では、例えば、MUEでは、MeNBからの下り回線信号（所望信号）の受信時に、HeNBが下り回線でHUEに送信した信号が干渉となることは無い。また、HUEでは、HeNBからの下り回線信号（所望信号）の受信時に、MeNBが下り回線でMUEに送信した信号が干渉となることは無い。
【００４５】
同様に、図４に示すMUEの代わりに、サブバンド６〜８の３個のサブバンドに複数のフレームに渡ってMeNBが割り当てられている場合（図示せず）でも、例えば、MeNBでは、MUEからの上り回線信号（所望信号）の受信時に、MeNBの近傍に位置するHUEが上り回線でHeNBに送信した信号が干渉となることは無い。また、HeNBでは、HUEからの信号（所望信号）の受信時に、HeNBの近傍に位置するMUEが上り回線でMeNBに送信した信号が干渉となることは無い。
【００４６】
また、HeNB２００では、検出部２０１で検出したMUEからの信号、HeNB２００が使用可能なサブバンド総数、及び、HeNB２００の使用サブバンド数のみに基づいてサブバンドの割当パターンを生成する。つまり、HeNB２００は、実施の形態１と同様、MeNBとHeNB２００との間で情報（例えば、MeNBのサブバンド使用状況を示す情報）をやり取りすることなく、サブバンドの割当パターンを生成することができる。
【００４７】
このように、本実施の形態によれば、実施の形態１と同様、MeNBとHeNBとの間で情報のやり取りを行うことなく、HeNBとMeNBとの間の干渉を抑えることができる。
【００４８】
なお、本実施の形態では、HeNB２００のパターン生成部２０３が、サブバンドの割当パターンに含まれるサブバンドの組み合わせをフレーム間で同一にする場合について説明した。しかし、本実施の形態と実施の形態１とを組み合わせることで、パターン生成部２０３は、割当パターンに含まれるサブバンドの組み合わせをフレーム毎に互いに異ならせてもよい。例えば、パターン生成部２０３は、図７に示すように、１２個のサブバンド１〜１２のうち、特定部２０２で特定されたサブバンド６〜８（干渉帯域）以外のサブバンド（サブバンド１〜５及びサブバンド９〜１２）において、フレーム毎にランダムに４個のサブバンドを選択することにより、サブバンドの組み合わせがフレーム毎に異なる割当パターンを生成する。
【００４９】
これにより、本実施の形態と同様、干渉帯域（図７ではサブバンド６〜８）でのHeNB２００（HUE）へのサブバンドの割当を回避することで、MUE（受信信号電力が閾値より大きいサブバンドに信号が割り当てられたMUE）からの干渉を受けることが無くなる。さらに、干渉帯域以外のサブバンドでは、実施の形態１と同様、サブバンドの組み合わせがフレーム毎に異なる割当パターンを用いることで、他のMUE（受信信号電力が閾値以下のサブバンドに信号が割り当てられたMUE）とHeNB２００との間の干渉をランダマイズ化（平均化）でき、MeNBとHeNB２００との間の干渉を抑えることができる。
【００５０】
（実施の形態３）
本実施の形態に係るHeNBの構成を示すブロック図を図８に示す。なお、図８において、図５に示した構成部と同一の構成部については同一符号を付し説明を省略する。
【００５１】
本実施の形態に係るHeNB３００において、特定部３０１は、実施の形態２の特定部２０２と同様、検出部２０１で検出された信号を用いて、複数のサブバンドのうちMUEからの信号が割り当てられているサブバンド（サブバンドの位置及び数）を特定する。さらに、特定部３０１は、MUEからの信号が割り当てられているサブバンドにおける受信信号電力（つまり、干渉電力）を特定する。
【００５２】
サブバンド数決定部３０２は、まず、HeNB３００が使用可能な複数のサブバンドを、特定部３０１で特定された受信信号電力の大きさに応じた複数のサブバンド群に分ける。すなわち、HeNB３００が使用可能な複数のサブバンドは、同程度の受信信号電力を有するサブバンドで構成されるサブバンド群にそれぞれグループ化される。そして、サブバンド数決定部３０２は、受信信号電力がより小さいサブバンド群を構成するサブバンドほどHeNB３００により多く割り当てられるように、割当パターンに用いられるサブバンド数をサブバンド群毎に決定する。ここで、各サブバンド群で決定されたサブバンド数の合計は、HeNB３００の使用サブバンド数となる。
【００５３】
パターン生成部３０３は、サブバンド数決定部３０２で決定されたサブバンド数に基づいて、HeNB３００（及びHUE）に割り当てられるサブバンドの割当パターンを生成する。具体的には、パターン生成部３０３は、サブバンド数決定部３０２において各サブバンド群で決定されたサブバンド数分のサブバンドを、各サブバンド群内のサブバンドから抽出することにより、サブバンドの割当パターンを生成する。すなわち、パターン生成部３０３は、複数のサブバンドが受信信号電力の大きさに応じて分けられた複数のサブバンド群のうち、受信信号電力がより小さいサブバンド群を構成するサブバンドほどHeNB３００により多く割り当てられるように、サブバンドの割当パターンを生成する。
【００５４】
次に、本実施の形態に係るHeNB３００における処理について詳細に説明する。
【００５５】
以下の説明では、図９に示すように、実施の形態１と同様、HeNB３００が使用可能なサブバンドをサブバンド１〜１２（サブバンド総数：１２個）とする。また、HeNB３００が各フレームで使用するサブバンドを６個（使用サブバンド数：６個）とする。
【００５６】
図９では、特定部３０１は、検出部２０１で検出された信号を用いて、MUEからの信号が割り当てられているサブバンド（サブバンド３〜１１）を特定する。さらに、特定部３０１は、MUEからの信号が割り当てられているサブバンドにおける受信信号電力を特定する。図９に示すように、HeNB３００では、サブバンド６〜８（MUE２からの信号が割り当てられているサブバンド）における受信信号電力が最も大きく、サブバンド３〜５（MUE３からの信号が割り当てられているサブバンド）における受信信号電力が２番目に大きく、サブバンド９〜１１（MUE１からの信号が割り当てられているサブバンド）における受信信号電力が３番目に大きい。一方、HeNB３００では、サブバンド１，２，１２でMUEからの信号が検出されず、受信信号電力は最も小さくなる。
【００５７】
そこで、サブバンド数決定部３０２は、図９に示すサブバンド１〜１２を、特定部３０１で特定された受信信号電力の大きさに応じた複数のサブバンド群に分ける。具体的には、サブバンド数決定部３０２は、受信信号電力が最も小さいサブバンド１，２，１２で構成されるサブバンド群、受信信号電力が２番目に小さいサブバンド９〜１１で構成されるサブバンド群、受信信号電力が３番目に小さいサブバンド３〜５で構成されるサブバンド群、受信信号電力が最も大きいサブバンド６〜８で構成されるサブバンド群に分ける。
【００５８】
次いで、サブバンド数決定部３０２は、受信信号電力がより小さいサブバンド群を構成するサブバンドほどHeNB３００により多く割り当てられるように、割当パターンに用いられるサブバンド数をサブバンド群毎に決定する。例えば、HeNB３００の使用サブバンド数が６個であるので、サブバンド数決定部３０２は、サブバンド１，２，１２で構成されるサブバンド群では割当パターンに用いられるサブバンド数を３個に決定し、サブバンド９〜１１で構成されるサブバンド群では割当パターンに用いられるサブバンド数を２個に決定し、サブバンド３〜５で構成されるサブバンド群では割当パターンに用いられるサブバンド数を１個に決定し、サブバンド６〜８で構成されるサブバンド群では割当パターンに用いられるサブバンド数を０個に決定する。
【００５９】
そして、パターン生成部３０３は、サブバンド数決定部３０２で決定された各サブバンド群のサブバンド数に基づいて、サブバンドの割当パターンを生成する。すなわち、パターン生成部３０３は、受信信号電力がより小さいサブバンド群を構成するサブバンドほどHeNB３００により多く割り当てられるように、サブバンドの割当パターンを生成する。例えば、図９に示すように、パターン生成部３０３は、サブバンド１，２，１２で構成されるサブバンド群に対してサブバンド数決定部３０２で決定されたサブバンド数が３個であるので、サブバンド１，２，１２の全てのサブバンドを抽出する。また、図９に示すように、パターン生成部３０３は、サブバンド９〜１１で構成されるサブバンド群に対してサブバンド数決定部３０２で決定されたサブバンド数が２個であるので、サブバンド９〜１１のうち、サブバンド９、１１の２個のサブバンドを抽出する。図９に示すサブバンド３〜５で構成されるサブバンド群についても同様である。一方、図９に示すサブバンド６〜８で構成されるサブバンド群では、パターン生成部３０３は、いずれのサブバンドも抽出しない。
【００６０】
すなわち、パターン生成部３０３は、図９に示すように、サブバンド１〜１２のうち、サブバンド１，２，４，９，１１，１２の組み合わせから成る割当パターンを生成する。
【００６１】
このように、受信信号電力（つまり、HeNB３００（又はHUE）に対する干渉信号の電力）が小さいサブバンド群ほど、割当パターンに用いられるサブバンド数はより多くなる。一方、受信信号電力が最も大きいサブバンド群（サブバンド６〜８）を構成するサブバンドは、実施の形態２と同様にして、割当パターンに用いられない。
【００６２】
ここで、HeNB３００にHUE１、HUE２及びHUE３が接続されているとする。そこで、割当部１０２は、図９に示すように、割当パターンに示されるサブバンド１，２，４，９，１１，１２のうち、サブバンド４，１２をHUE１に割り当て、サブバンド２，９をHUE２に割り当て、サブバンド１，１１をHUE３に割り当てる。
【００６３】
MUEからの信号の電力（受信信号電力）、つまり、干渉信号の電力が大きいほど、HeNB３００の通信に与える影響が大きい。これに対して、HeNB３００は、MUEからの信号の電力（干渉信号の電力）が小さいサブバンドほど、HeNB３００に割り当てられやすくなる。換言すると、HeNB３００は、MUEからの信号の電力（干渉信号の電力）が大きいサブバンドほど、HeNB３００に割り当てられにくくなる。特に、HeNB３００は、複数のサブバンドのうちMUEからの信号の電力（干渉信号の電力）が最大のサブバンド群を構成するサブバンド（図９ではサブバンド６〜８）を、HeNB３００に割り当てない。
【００６４】
これにより、本実施の形態では、MUEからの干渉を受けやすいサブバンドでのHeNB３００（HUE）へのサブバンドの割当を回避し、MUEからの干渉を抑えることができる。
【００６５】
また、HeNB３００では、実施の形態２と同様、検出部２０１で検出したMUEからの信号、HeNB３００が使用可能なサブバンド総数、及び、HeNB３００の使用サブバンド数のみに基づいてサブバンドの割当パターンを生成する。つまり、HeNB３００は、実施の形態２と同様、MeNBとHeNB３００との間で情報（例えば、MeNBのサブバンド使用状況を示す情報）をやり取りすることなく、サブバンドの割当パターンを生成することができる。
【００６６】
このようにして、本実施の形態によれば、実施の形態１と同様、MeNBとHeNBとの間で情報のやり取りを行うことなく、HeNBとMeNBとの間の干渉を抑えることができる。また、本実施の形態によれば、実施の形態２と同様、MUEからの干渉を受けるサブバンド（干渉帯域）ではHeNBへのサブバンドの割当を回避する。さらに、本実施の形態では、MUEから干渉を受けにくいサブバンドほどHeNBに割り当てやすくする。これにより、MeNBとHeNBとの間の干渉をさらに抑えることができる。
【００６７】
なお、本実施の形態では、HeNB３００のパターン生成部３０３が、サブバンドの割当パターンに含まれるサブバンドの組み合わせをフレーム間で同一にする場合について説明した。しかし、本実施の形態と実施の形態１とを組み合わせることで、パターン生成部３０３は、割当パターンに含まれるサブバンドの組み合わせをフレーム毎に互いに異ならせてもよい。例えば、サブバンド数決定部３０２は、図１０に示すように、図９と同様、１２個のサブバンド１〜１２を受信信号電力に応じて複数のサブバンド群に分け、受信信号電力がより小さいサブバンド群を構成するサブバンドほどHeNB３００により多く割り当てられるように、割当パターンに用いられるサブバンド数をサブバンド群毎に決定する。そして、パターン生成部３０３は、サブバンド数決定部３０２で決定された各サブバンド群のサブバンド数に基づいて、割当パターンに用いられるサブバンドを抽出する。このとき、パターン生成部３０３は、図１０に示すように、割当パターンに用いられるサブバンドの組み合わせをフレーム毎に異ならせる。
【００６８】
これにより、本実施の形態と同様、干渉を受けやすいサブバンドではHeNB３００へのサブバンドの割当を回避することで、MeNBとHeNB３００との間の干渉を抑えることができる。さらに、実施の形態１と同様、サブバンドの組み合わせがフレーム毎に異なる割当パターン用いることで、MeNBとHeNB３００との間の干渉をランダマイズ化（平均化）でき、MeNBとHeNB３００との間の干渉を抑えることができる。
【００６９】
（実施の形態４）
本実施の形態に係るHeNB３００（図８）において、サブバンド数決定部３０２は、まず、実施の形態３と同様、HeNB３００が使用可能な複数のサブバンドを、特定部３０１で特定された受信信号電力の大きさに応じた複数のサブバンド群に分ける。そして、サブバンド数決定部３０２は、受信信号電力がより小さいサブバンド群を構成するサブバンドから順にHeNB３００に割り当てられるように、割当パターンに用いられるサブバンド数をサブバンド群毎に決定する。ここで、各サブバンド群で決定されたサブバンド数の合計は、HeNB３００の使用サブバンド数となる。
【００７０】
パターン生成部３０３は、サブバンド数決定部３０２で決定されたサブバンド数に基づいて、HeNB３００（及びHUE）に割り当てられるサブバンドの割当パターンを生成する。具体的には、パターン生成部３０３は、複数のサブバンドが受信信号電力の大きさに応じて分けられた複数のサブバンド群のうち、受信信号電力がより小さいサブバンド群を構成するサブバンドから順にHeNB３００に割り当てられるように、サブバンドの割当パターンを生成する。
【００７１】
次に、本実施の形態に係るHeNB３００における処理について詳細に説明する。
【００７２】
以下の説明では、図１１に示すように、実施の形態３（図９）と同様、HeNB３００が使用可能なサブバンドをサブバンド１〜１２（サブバンド総数：１２個）とする。また、HeNB３００が各フレームで使用するサブバンドを４個（使用サブバンド数：４個）とする。
【００７３】
図１１に示すように、HeNB３００では、実施の形態３（図９）と同様、サブバンド６〜８（MUE２からの信号が割り当てられているサブバンド）における受信信号電力が最も大きく、サブバンド３〜５（MUE３からの信号が割り当てられているサブバンド）における受信信号電力が２番目に大きく、サブバンド９〜１１（MUE１からの信号が割り当てられているサブバンド）における受信信号電力が３番目に大きい。一方、HeNB３００では、サブバンド１，２，１２でMUEからの信号が検出されず、受信信号電力は最も小さくなる。
【００７４】
よって、サブバンド数決定部３０２は、実施の形態３（図９）と同様、図１１に示すサブバンド１〜１２を、受信信号電力が最も小さいサブバンド１，２，１２で構成されるサブバンド群、受信信号電力が２番目に小さいサブバンド９〜１１で構成されるサブバンド群、受信信号電力が３番目に小さいサブバンド３〜５で構成されるサブバンド群、受信信号電力が最も大きいサブバンド６〜８で構成されるサブバンド群に分ける。
【００７５】
そして、サブバンド数決定部３０２は、受信信号電力がより小さいサブバンド群を構成するサブバンドから順にHeNB３００に割り当てられるように、割当パターンに用いられるサブバンド数をサブバンド群毎に決定する。例えば、HeNB３００の使用サブバンド数が４個であるので、サブバンド数決定部３０２は、まず、受信信号電力が最も小さい、サブバンド１，２，１２で構成されるサブバンド群では割当パターに用いられるサブバンド数を３個に決定する。ここで、HeNB３００の使用サブバンド数が４個であるのに対し、決定されたサブバンド数は３個であるため、サブバンド数決定部３０２は、残り１個のサブバンドをさらに決定する必要がある。そこで、サブバンド数決定部３０２は、さらに、受信信号電力が２番目に小さい、サブバンド９〜１１で構成されるサブバンド群では割当パターに用いられるサブバンド数を１個（＝４個−３個）に決定する。これにより、各サブバンド群で決定されたサブバンド数の合計は、HeNB３００の使用サブバンド数（４個）となる。よって、サブバンド数決定部３０２は、サブバンド３〜５で構成されるサブバンド群及びサブバンド６〜８で構成されるサブバンド群では割当パターに用いられるサブバンド数を０個に決定する。
【００７６】
そして、パターン生成部３０３は、受信信号電力がより小さいサブバンド群を構成するサブバンドから順にHeNB３００に割り当てられるように、サブバンドの割当パターンを生成する。例えば、パターン生成部３０３は、図１１に示すように、サブバンド１，２，１２で構成されるサブバンド群に対してサブバンド数決定部３０２で決定されたサブバンド数が３個であるので、サブバンド１，２，１２の全てのサブバンドを抽出する。また、図１１に示すように、パターン生成部３０３は、サブバンド９〜１１で構成されるサブバンド群に対してサブバンド数決定部３０２で決定されたサブバンド数が１個であるので、例えば、サブバンド９〜１１のうち、サブバンド１０の１個のサブバンドを抽出する。一方、図１１に示すサブバンド３〜５で構成されるサブバンド群及びサブバンド６〜８で構成されるサブバンド群では、パターン生成部３０３は、いずれのサブバンドも抽出しない。
【００７７】
すなわち、パターン生成部３０３は、図１１に示すように、サブバンド１〜１２のうち、サブバンド１，２，１０，１２の組み合わせから成る割当パターンを生成する。
【００７８】
ここで、HeNB３００にHUE１及びHUE２が接続されているとする。そこで、割当部１０２は、図１１に示すように、割当パターンに示されるサブバンド１，２，１０，１２のうち、サブバンド１，１２をHUE１に割り当て、サブバンド２，１０をHUE２に割り当てる。
【００７９】
このように、HeNB３００は、受信信号電力（つまり、HeNB３００（又はHUE）に対する干渉信号の電力）がより小さいサブバンド（MUEからの信号による干渉がより小さいサブバンド）から順にHeNB３００にサブバンドを割り当てる。これにより、HeNB３００に割り当てられるサブバンド（割当パターンに含まれるサブバンド）は、HeNB３００が使用可能な複数のサブバンド（図１１ではサブバンド１〜１２）のうち、MUEからの信号による干渉がより小さいサブバンドの組み合わせとなる。これにより、HeNB３００（HUE）とMeNB（MUE）との間の干渉を最小限に抑えることができる。
【００８０】
また、HeNB３００では、実施の形態３と同様、検出部２０１で検出したMUEからの信号、HeNB３００が使用可能なサブバンド総数、及び、HeNB３００の使用サブバンド数のみに基づいてサブバンドの割当パターンを生成する。つまり、HeNB３００は、実施の形態３と同様、MeNBとHeNB３００との間で情報（例えば、MeNBのサブバンド使用状況を示す情報）をやり取りすることなく、サブバンドの割当パターンを生成することができる。
【００８１】
このようにして、本実施の形態によれば、実施の形態１と同様、MeNBとHeNBとの間で情報のやり取りを行うことなく、HeNBとMeNBとの間の干渉を抑えることができる。また、本実施の形態によれば、MUEからの信号による干渉の影響がより小さいサブバンドから順にHeNBへの割当が優先的に行われるので、MeNBとHeNBとの間の干渉を最小限に抑えることができる。
【００８２】
なお、本実施の形態では、HeNB３００のパターン生成部３０３が、サブバンドの割当パターンに含まれるサブバンドの組み合わせをフレーム間で同一にする場合について説明した。しかし、本実施の形態と実施の形態１とを組み合わせることで、パターン生成部３０３は、割当パターンに含まれるサブバンドの組み合わせをフレーム毎に互いに異ならせてもよい。例えば、サブバンド数決定部３０２は、図１２に示すように、図１１と同様、１２個のサブバンド１〜１２を受信信号電力に応じて複数のサブバンド群に分け、受信信号電力がより小さいサブバンド群を構成するサブバンドから順にHeNB３００に割り当てられるように、割当パターンに用いられるサブバンド数をサブバンド群毎に決定する。そして、パターン生成部３０３は、サブバンド数決定部３０２で決定された各サブバンド群のサブバンド数に基づいて、割当パターンに用いられるサブバンドを抽出する。このとき、パターン生成部３０３は、図１２に示すように、割当パターンに用いられるサブバンドの組み合わせをフレーム毎に異ならせる。さらに、パターン生成部３０３は、割当パターンに用いられるサブバンド内で、異なるHUE（図１２ではHUE１及びHUE２）に対して割り当てるサブバンドをフレーム毎に異ならせる。
【００８３】
これにより、本実施の形態と同様、MUEからの信号による干渉の影響がより小さいサブバンドから順にHeNB３００への割当が優先的に行われるので、MeNBとHeNB３００との間の干渉を最小限に抑えることができる。さらに、実施の形態１と同様、サブバンドの組み合わせがフレーム毎に異なる割当パターンを用いることで、MeNBとHeNB３００との間の干渉をランダマイズ化（平均化）でき、MeNBとHeNB３００との間の干渉を抑えることができる。
【００８４】
（実施の形態５）
本実施の形態では、隣接する複数のHeNBについて説明する。以下の説明では、図１３に示すように、３個のHeNB１〜３が互いに隣接する場合について説明する。なお、ここでは、図１３に示すHeNB１〜３は、一例として、実施の形態１に係るHeNB１００（図１）の構成を具備する。
【００８５】
すなわち、図１３に示すHeNB１〜３のパターン生成部１０１は、図３に示すように、各HeNBで使用可能なサブバンドにおいて、各HeNBに割り当てられるサブバンドの組み合わせがフレーム毎に異なる割当パターンを生成する。ただし、図１３に示すHeNB１〜３は、各HeNBで使用する割当パターンを互いに独立して設定している。
【００８６】
このように、図１３に示す互いに隣接するHeNB１〜３は、サブバンドの割当パターンを、HeNB１〜３の間でそれぞれ独立に生成するため、HeNB１〜３では各フレームで互いに異なる割当パターンを用いる可能性が高くなる。具体的には、或るフレームでは、隣接する複数のHeNB間で同一の割当パターンを生成する可能性（同一のサブバンドを使用する可能性）はあるものの、連続する複数のフレームにおいて同一の割当パターンを生成する可能性は低くなる。これにより、図１３に示す、隣接するHeNB１〜３の間で互いに与え得る干渉をランダマイズ化（平均化）することができる。
【００８７】
よって、例えば、或るHeNBが下り回線でそのHeNBに接続しているHUEに送信した信号が、隣接する他のHeNBに接続しているHUEに対して複数のフレームに渡って干渉を与える確率を低くすることができる。又は、或るHeNBに接続しているHUEが上り回線でそのHeNBに送信した信号が、隣接する他のHeNBに対して複数のフレームに渡って干渉を与える確率を低くすることができる。
【００８８】
また、図１３に示すHeNB１〜３は、各HeNBとMeNB（図示せず）との間でも、実施の形態１と同様、干渉をランダマイズ化（平均化）でき、MeNBと各HeNBとの間の干渉を抑えることができる。
【００８９】
また、図１３に示すHeNB１〜３では、実施の形態１と同様、HeNB１００が使用可能なサブバンド総数、及び、HeNB１００の使用サブバンド数のみに基づいてサブバンドの割当パターンを生成する。つまり、図１３に示すHeNB１〜３は、MeNBと各HeNBとの間、及び、隣接するHeNB間で情報（例えば、各装置のサブバンド使用状況を示す情報）をやり取りすることなく、サブバンドの割当パターンを生成することができる。
【００９０】
このようにして、本実施の形態によれば、実施の形態１と同様、MeNBとHeNBとの間で情報のやり取りを行うことなく、HeNBとMeNBとの間の干渉を抑えることができる。さらに、本実施の形態によれば、隣接する複数のHeNB間で情報のやり取りを行うことなく、HeNB間の干渉を抑えることができる。
【００９１】
なお、本実施の形態では、図１３に示すHeNB１〜３が実施の形態１に係るHeNB１００（図１）の構成を具備する場合について説明した。しかし、図１３に示すHeNB１〜３は、実施の形態２〜４に係るHeNB（HeNB２００（図５）、HeNB３００（図８））の構成を具備してもよい。この場合、HeNBは、各実施の形態と同様の効果をそれぞれ得ることができ、かつ、本実施の形態と同様、HeNB間の干渉を抑えることができる。
【００９２】
以上、本発明の各実施の形態について説明した。
【００９３】
なお、本発明はLTEを例に実施の形態を説明したが、本発明はこれに限定されることなく、MeNBとHeNBの混在を許容する全ての無線通信規格において適用可能である。
【００９４】
また、上記各実施の形態では、連続するサブバンドを用いる例について説明した。しかし、本発明は連続するサブバンドを用いる場合に限定されることはなく、例えば図１４及び１５に示すように不連続なサブバンドを用いた場合にも本発明を適用でき、上記各実施の形態と同様の効果を得ることができる。図１４及び図１５では、サブバンド１〜４と、サブバンド５〜７と、サブバンド８〜１０とがそれぞれ不連続となる。また、図１４は、サブバンドの割当パターンに含まれるサブバンドの組み合わせをフレーム間で同一にする場合について示し、図１５は、サブバンドの割当パターンに含まれるサブバンドの組み合わせをフレーム毎に互いに異ならせる場合について示す。
【００９５】
２０１０年３月４日出願の特願２０１０−０４７９８５の日本出願に含まれる明細書、図面および要約書の開示内容は、すべて本願に援用される。
【産業上の利用可能性】
【００９６】
本発明は、MeNB、MUE、HeNB及びHUEを有する移動体通信システムに好適である。
【符号の説明】
【００９７】
１００，２００，３００  HeNB
１０１，２０３，３０３  パターン生成部
１０２  割当部
１０３  通知部
２０１  検出部
２０２，３０１  特定部
３０２  サブバンド数決定部
【図１】
2011108197.tif 000003
【図２】
2011108197.tif 000004
【図３】
2011108197.tif 000005
【図４】
2011108197.tif 000006
【図５】
2011108197.tif 000007
【図６】
2011108197.tif 000008
【図７】
2011108197.tif 000009
【図８】
2011108197.tif 000010
【図９】
2011108197.tif 000011
【図１０】
2011108197.tif 000012
【図１１】
2011108197.tif 000013
【図１２】
2011108197.tif 000014
【図１３】
2011108197.tif 000015
【図１４】
2011108197.tif 000016
【図１５】
2011108197.tif 000017
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
マクロ基地局装置が形成するセルよりも小さいセルを形成する小型基地局装置であって、
前記小型基地局装置が使用可能な複数のサブバンドのうち、前記小型基地局装置に割り当てられるサブバンドの割当パターンであって、サブバンドの組み合わせが所定時間間隔毎に異なる前記割当パターンを生成する生成手段と、
前記割当パターンに基づいて、前記小型基地局装置に接続している通信端末装置に対してサブバンドを割り当てる割当手段と、
受信信号から、前記マクロ基地局装置に接続している通信端末装置からの信号を検出する検出手段と、
前記複数のサブバンドのうち、前記信号が割り当てられているサブバンドを特定する特定手段と、を具備し、
前記生成手段は、前記複数のサブバンドのうち、前記信号が割り当てられているサブバンド以外のサブバンドにおいて、前記割当パターンを生成する、小型基地局装置。
【請求項２】
マクロ基地局装置が形成するセルよりも小さいセルを形成する小型基地局装置であって、
前記小型基地局装置が使用可能な複数のサブバンドのうち、前記小型基地局装置に割り当てられるサブバンドの割当パターンであって、サブバンドの組み合わせが所定時間間隔毎に異なる前記割当パターンを生成する生成手段と、
前記割当パターンに基づいて、前記小型基地局装置に接続している通信端末装置に対してサブバンドを割り当てる割当手段と、
受信信号から、前記マクロ基地局装置に接続している通信端末装置からの信号を検出する検出手段と、
前記複数のサブバンドのうち、前記信号が割り当てられているサブバンド、及び、前記信号が割り当てられているサブバンドにおける受信信号電力を特定する特定手段と、を具備し、
前記生成手段は、前記複数のサブバンドが前記受信信号電力の大きさに応じて分けられた複数のサブバンド群のうち、前記受信信号電力がより小さいサブバンド群を構成するサブバンドほど前記小型基地局装置により多く割り当てられるように、前記割当パターンを生成する、小型基地局装置。
【請求項３】
マクロ基地局装置が形成するセルよりも小さいセルを形成する小型基地局装置であって、
前記小型基地局装置が使用可能な複数のサブバンドのうち、前記小型基地局装置に割り当てられるサブバンドの割当パターンであって、サブバンドの組み合わせが所定時間間隔毎に異なる前記割当パターンを生成する生成手段と、
前記割当パターンに基づいて、前記小型基地局装置に接続している通信端末装置に対してサブバンドを割り当てる割当手段と、
受信信号から、前記マクロ基地局装置に接続している通信端末装置からの信号を検出する検出手段と、
前記複数のサブバンドのうち、前記信号が割り当てられているサブバンド、及び、前記信号が割り当てられているサブバンドにおける受信信号電力を特定する特定手段と、を具備し、
前記生成手段は、前記複数のサブバンドが前記受信信号電力の大きさに応じて分けられた複数のサブバンド群のうち、前記受信信号電力がより小さいサブバンド群を構成するサブバンドから順に前記小型基地局装置に割り当てられるように、前記割当パターンを生成する、小型基地局装置。
【請求項４】
（削除）
【請求項５】
（削除）
【国際調査報告】
2011108197.tif 000018
2011108197.tif 000019
2011108197.tif 000020
2011108197.tif 000021